(57)【要約】延伸剥離性接着剤で装着可能な図形表示装置は、バックプレート（１０６）と、バックプレート背面に接着された接着部（１０４ａ）とバックプレート（１０６）を超えて突出する非接着性プルタブ（１０４ｂ）とを有する両面延伸剥離性接着テープ（１０４）と、バックプレート前面に隣接して配置された図形表示部材（１１０）と、図形表示部材（１１０）に隣接して配置されているとともにバックプレート（１０６）に接続された、図形表示部材（１１０）を視認するための視認区域を含むカバープレート（１１２）とを含む。組み立てられると表示装置は非接着性プルタブ（１０４ｂ）を隠蔽するが、カバープレート（１１２）がバックプレート（１０６）から取り外されると、ユーザはプルタブ（１０４ｂ）を手で把持して接着片（１０４）を表面およびバックプレート（１０６）から延伸剥離できる。
2006512142.tif 000002
【特許請求の範囲】
【請求項１】
表面に装着する物品であって、
（ａ）前面および背面主面を有するバックプレートと、
（ｂ）前記バックプレート背面に接着された接着部と、前記バックプレートを超えて突出する非接着性プルタブとを有する両面延伸剥離性接着テープと、
（ｃ）前記バックプレート前面に隣接して配置された図形表示部材と、
（ｄ）前記図形表示部材に隣接して配置されているとともに前記バックプレートに接続されており、前記図形表示部材を視認するための視認区域を含むカバープレートとを含み、
前記カバープレートが前記バックプレートから取り外されると、ユーザが前記プルタブを手で把持して前記接着片を前記表面および前記バックプレートから延伸剥離できる物品。
【請求項２】
前記視認区域が前記カバープレートの透明領域である請求項１に記載の物品。
【請求項３】
前記視認区域が前記カバープレート内の開口である請求項１に記載の物品。
【請求項４】
前記図形表示部材が１枚の不透明な材料で形成されているとともに、前記非接着性プルタブと重畳関係で配置されていることにより、前記プルタブが前記図形表示部材により隠蔽される請求項１に記載の物品。
【請求項５】
前記バックプレートが切欠を含むとともに、前記非接着性プルタブが前記切欠に隣接して且つ位置合わせされて位置決めされることにより、前記プルタブが前記切欠内で視認可能であるとともに、前記カバープレートを前記バックプレートから取り外す時にユーザが接近して前記接着片を延伸剥離できる請求項４に記載の物品。
【請求項６】
前記カバープレートが透明である請求項５に記載の物品。
【請求項７】
前記カバープレートが不透明な領域を含み、前記視認区域が前記図形表示部材に隣接して配置されているとともに前記不透明な領域が前記プルタブと重畳関係で配置されていることにより、前記プルタブが前記カバープレート不透明領域により隠蔽される請求項１に記載の物品。
【請求項８】
前記視認区域が前記カバープレートの中心領域を含むとともに、前記不透明な領域が前記視認区域の周囲の周縁フレームを含み、前記不透明な領域の少なくとも一部分が前記プルタブと重畳関係で配置されていることにより前記プルタブを隠蔽する請求項７に記載の物品。
【請求項９】
前記バックプレートが前記図形表示部材を収容し且つ支持するための凹部を含む請求項１に記載の物品。
【請求項１０】
前記カバープレートが前記カバープレートから外側に延びる機能部材を含む請求項１に記載の物品。
【請求項１１】
前記ベースプレートが前記ベースプレート前面から外側に延びる機能部材を含むとともに、前記カバープレートが前記ベースプレート機能部材を収容するための開口を含むことにより、前記ベースプレート機能部材が前記カバープレートを支持する役目を果たす請求項１に記載の物品。
【請求項１２】
前記カバープレートが前記バックプレートに枢着している請求項１に記載の物品。
【請求項１３】
表面に装着する物品であって、
（ａ）前面および背面主面を有するとともに切欠を含むバックプレートと、
（ｂ）前記バックプレート背面に接着された接着部と、前記切欠と位置合わせされ前記バックプレートを超えて突出する非接着性プルタブとを有する両面延伸剥離性接着テープと、
（ｃ）前記非接着性プルタブと重畳関係で前記バックプレート前面に隣接して配置されていることにより前記プルタブを隠蔽する、１枚の不透明な材料で形成された図形表示部材と、
（ｄ）前記図形表示部材に隣接して配置されているとともに前記バックプレートに取り外し可能に接続されており、前記図形表示部材を視認するための視認区域を含むカバープレートとを含み、
前記カバープレートが前記バックプレートから取り外されると、ユーザが前記プルタブを手で把持して前記接着片を前記表面および前記バックプレートから延伸剥離できる物品。
【請求項１４】
表面に装着する物品であって、
（ａ）前面および背面主面を有するバックプレートと、
（ｂ）前記バックプレート背面に接着された接着部と、前記バックプレートを超えて突出する非接着性プルタブとを有する両面延伸剥離性接着テープと、
（ｃ）前記バックプレート前面に隣接して配置された図形表示部材と、
（ｄ）前記図形表示部材に隣接して配置されているとともに前記バックプレートに接続されており、前記プルタブと重畳関係で配置された不透明領域と、前記図形表示部材を視認するための前記図形表示部材に隣接して配置された視認区域とを含むカバープレートとを含み、
前記カバープレートが前記バックプレートから取り外されると、ユーザが前記プルタブを手で把持して前記接着片を前記表面および前記バックプレートから延伸剥離できる物品。
【発明の詳細な説明】
【技術分野】
【０００１】
本発明は概して装飾的な表示品に関し、特に装置により隠蔽される非接着性プルタブを有する延伸剥離性接着テープで装着するような表示装置に関する。
【背景技術】
【０００２】
非接着性プルタブを有する延伸剥離性接着テープを用いて物品を壁面に装着することが知られている。特許文献１（クレッケル（Ｋｒｅｃｋｅｌ）ら）は例えばフック、カレンダ、ポスター、標識などの様々な物品を壁面に装着するために利用可能な再剥離性接着テープを開示している。
【０００３】
しかし延伸剥離性接着片を用いて物体を壁面に装着する場合、片の端部の非接着性プルタブを露出させておき、後で物体を分離したいユーザがプルタブを把持することができるようにしなければならず、またはプルタブを選択的に隠蔽および露出させるように装着物体を設計して延伸除去プロセス時にユーザがプルタブに接近できるようにしなければならない。特許文献２（ハマースキ（Ｈａｍｅｒｓｋｉ）ら）は例えば、タブ部を選択的に隠蔽する摺動カバー部を備えて特別に作製された二部フックを開示している。特許文献３、特許文献４および特許文献５は延伸剥離性接着テープを用いて壁面に装着するようになっている、種々の複雑な保持装置を開示している。各保持装置はベースプレートと、ベースプレートとベースプレートの背後から突出する非接着性プルタブとを被覆する前面機能部とを含んでいる。
【０００４】
特許文献６は再利用可能な標識用フレームを開示し、フレームは標識を保持するためのスロット状凹部と、透明な前面と、背面に係止装置を備えたアダプタと、アダプタに取り外し可能に取り付けられたアダプタ装置と、装置を基体に取り付けるための接着フィルムとを備え、接着フィルムの把手がアダプタ装置を超えて延びてその把手がアダプタ装置に取り付けられた再利用可能なフレームにより覆われるようになっている。
【０００５】
しかしなお、作製および使用が容易で、物品を表面に装着した時にプルタブを隠蔽する手段を含み、非接着性プルタブを有する延伸剥離性接着テープを用いて壁面に装着可能であるとともに、交換可能な図形を表示するのに利用可能な改良装置が必要とされている。
【０００６】
そのため、作製および使用が容易で、物品を表面に装着した時にプルタブを隠蔽する、非接着性プルタブを有する延伸剥離性接着テープを用いて壁面に装着可能であるとともに、交換可能な図形を表示するのに利用可能な装置を提供することが望ましい。
【特許文献１】米国特許第５，５１６，５８１号明細書
【特許文献２】米国特許第５，５０７，４６４号明細書
【特許文献３】米国特許第５，９６７，４７４号明細書
【特許文献４】米国特許第６，１３１，８６４号明細書
【特許文献５】米国特許第６，０８２，６８６号明細書
【特許文献６】独国特許公開第１９９３４６３０号明細書
【発明の開示】
【発明が解決しようとする課題】
【０００７】
本発明は、非接着性プルタブを有する延伸剥離性接着テープを用いて壁面などの基体上に装着可能な、物品を表面上に装着した時にプルタブを隠蔽する装置を提供する。装置は作製および使用が容易であるとともに、名札、絵画、指示、着色広告、または季節装飾などの図形を表示するために使用することができる。図形を表示可能にするために装置は視認区域を含み、これを通して図形を視認可能である。最大融通性を得るために装置が状況に応じて図形を容易に交換可能にすることが好ましい。
【課題を解決するための手段】
【０００８】
一実施形態において本発明は、前面および背面主面を有するバックプレートと、バックプレート背面に接着された接着部とバックプレートを超えて突出する非接着性プルタブとを有する両面延伸剥離性接着テープと、バックプレート前面に隣接して配置された図形表示部材と、図形表示部材に隣接して配置されているとともにバックプレートに接続されており、図形表示部材を視認するための視認区域を含むカバープレートとを含む、表面に装着する物品を提供する。このようにカバープレートがバックプレートから取り外されると、プルタブが露出されユーザが手で把持して接着片を表面およびバックプレートから延伸剥離できる。
【０００９】
視認区域はカバープレートの透明領域またはカバープレート内の開口であり得る。一実施形態において、図形表示部材は１枚の不透明な材料で形成され、非接着性プルタブと重畳関係で配置されていることにより、プルタブが図形表示部材により隠蔽される。他の実施形態において、バックプレートが切欠を含むとともに、非接着性プルタブが切欠に隣接して且つ位置合わせされて位置決めされることにより、プルタブが切欠内で視認可能であるとともに、カバープレートをバックプレートから取り外す時にユーザが接近して接着片を延伸剥離できる。不透明な図形表示部材がプルタブを隠蔽する場合、カバープレート全体が透明であり得る。
【００１０】
他の実施形態において、カバープレートが不透明な部分を含み、視認区域が図形表示部材に隣接して配置されているとともにカバープレートの不透明な部分がプルタブと重畳関係で配置されている。このようにプルタブがカバープレートの不透明部分により隠蔽される。視認区域がカバープレートの中心領域を含むとともに、不透明な部分が視認区域の周囲の周縁フレームを含み、不透明な領域の少なくとも一部分がプルタブと重畳関係で配置されていることによりプルタブを隠蔽する。
【００１１】
他の実施形態において、バックプレートが図形表示部材を収容し且つ支持するための凹部を含むとともに、カバープレートがフック、クリップ等などのカバープレートから外側に延びる機能部材を含む。またカバープレートがベースプレート機能部材を収容するための開口を含むことにより、ベースプレート機能部材がカバープレートを支持する役目を果たす。
【００１２】
特定の実施形態において本発明は、前面および背面主面ならびに切欠を有するバックプレートと、バックプレート背面に接着された接着部と切欠に隣接して且つ置合わせされバックプレートを超えて突出する非接着性プルタブとを有する両面延伸剥離性接着テープと、非接着性プルタブと重畳関係で配置されている、１枚の不透明な材料で形成された図形表示部材と、図形表示部材に隣接して配置されているとともにバックプレートに接続されており、図形表示部材を視認するための視認区域を含むカバープレートとを含む、表面に装着するのに適応した物品を提供する。このようにカバープレートが取り外されると、プルタブが切欠内に見えるとともにユーザがプルタブに接近して接着片を延伸剥離できる。
【００１３】
他の特定な実施形態において本発明は、前面および背面主面を有するバックプレートと、バックプレート背面に接着された接着部とバックプレートを超えて突出する非接着性プルタブとを有する両面延伸剥離性接着テープと、バックプレート前面に隣接して配置された図形表示部材と、図形表示部材に隣接して配置されているとともにバックプレートに接続されており、図形表示部材を視認するための視認区域とプルタブと重畳関係で配置されてプルタブを隠蔽する不透明領域とを含むカバープレートとを含む、表面に装着するのに適応した物品を提供する。
【００１４】
添付の図面を参照して本発明をさらに説明する。
【発明を実施するための最良の形態】
【００１５】
ここで図面を参照すると、数枚の図面を通して同様なまたは対応する部分は１００ずつ増分する同様な参照番号で参照される。図１は接着部１０４ａと非接着性プルタブ１０４ｂとを有する両面延伸剥離性接着テープ１０４と、接着テープ１０４に隣接して配置された切欠１０８を含むバックプレート１０６と、接着テープ１０４と反対側でバックプレート１０６に隣接して配置された不透明な図形表示部材１１０と、不透明な図形表示部材１１０上に配置された透明なカバー１１２とを含む表示装置１０２を示している。
【００１６】
接着テープ１０４を設けて表示装置１０２を壁面（図示せず）などの基体に取り付ける。表示装置１０２を表面などに装着する場合、非接着性プルタブ１０４ｂを切欠１０８と位置合わせし且つその内部に配置するように接着テープ１０４をバックプレート１０６に接着する。これによりカバー１１２および図形表示部材１１０をバックプレート１０６から取り外す時にユーザはプルタブ１０４ｂを見ることができるとともに、プルタブ１０４ｂへの接近を提供するためユーザはプルタブ１０４ｂを把持して引っ張ることが可能であり、好きなときに表示装置１０２を基体から取り外すことができる。
【００１７】
図形表示部材１１０には、言葉、図示、絵画等を含む画像１１４が設けられている。図形表示部材１１０は接着テープ１０４のプルタブ１０４ｂ部分を隠蔽するために不透明であるが、そうでなければバックプレート１０６内の切欠１０８を通して見えてしまう。
【００１８】
カバー１１２は、ガラスまたは合成プラスチック材料などの従来のクリアなまたは透明な材料で形成されているため、画像１１４が視認可能である。カバー１１２を摩擦嵌合、留め金、ねじ込み、または他の従来の取り付け機構によってバックプレート１０６に取り付けることにより、カバー１１２を迅速且つ容易に取り外すことができるため表示部材１１０を迅速且つ容易に交換可能であるとともに、表示装置１０２を関連基体から延伸除去したい時にプルタブ１０４ｂへの容易な接近を提供する。
【００１９】
接着片１０４は従来から既知の弾性バッキングを備えた粘着テープを含む延伸剥離性接着テープ、高伸張性且つ実質的非弾性バッキングを備えた粘着テープ、または固体弾性粘着剤であればよい。本発明の様々な実施形態で用いるのに適した具体的なテープには、米国特許第４，０２４，３１２号明細書（コープマン（Ｋｏｒｐｍａｎ））に記載の弾性バッキングを備えた粘着テープ、米国特許第５，５１６，５８１（クレッケル（Ｋｒｅｃｋｅｌ）ら）およびブリー（Ｂｒｉｅｓ）ら（第６，２３１，９６２号明細書）に記載の高伸張性且つ実質的非弾性バッキングを備えた粘着テープ、および独国特許第３３３１０１６号明細書に記載の固体弾性粘着剤がある。
【００２０】
図２は接着部２０４ａと非接着性プルタブ２０４ｂとを有する両面延伸剥離性接着テープ２０４と、接着テープ２０４に隣接して配置されたバックプレート２０６と、バックプレート２０６に隣接して配置された図形表示部材２１０と、図形表示部材２１０上に配置された透明なカバー２１２とを含む表示装置２０２を示している。プルタブ２０４ｂがバックプレート２０６の背後から延びるように接着テープ２０４をバックプレート２０６に接着することにより、ユーザがプルタブ２０４ｂを把持して引っ張ることが可能であり、表示装置を基体から延伸除去することができる。このため図１の表示装置１０２とは異なり表示装置２０２は切欠を含んでいない。
【００２１】
表示部材２１０は印刷情報２１４を含んでおり、バックプレート２０６に隣接して配置されるとともに同一外形（すなわち同一形状および表面積）を有する。表示部材２１０もバックプレート２０６より小さくてもよいことは理解されよう。表示部材２１０はプルタブ２０４ｂを隠蔽する役目をしないため、不透明でも透明でもよい。カバー２１２は透明な中心視認区域２１２ａと不透明な周縁領域２１２ｂとを含む。視認区域２１２ａはクリアなまたは透明材料でもあるいはカバー２１２内の開口でもよく、ユーザが印刷情報２１４を視認できるようにする。カバー２１２は表示部材２１０を収容するようになっている凹部（図示せず）を含むとともに、カバー２１２をバックプレート２０６に取り付け可能にする。
【００２２】
プルタブ２０４ｂが視認区域２１２ａを通して視認されないように、視認区域２１２ａはバックプレート２０６の外周を超えて延びてはいない。不透明な周縁領域２１２ｂは視認区域２１２ａの周囲に延びるとともに、表示部材２１０およびバックプレート２０６の外周を超えて延び、バックプレート２０６の背後から延びるプルタブ２０４ｂを隠蔽する。不透明な周縁領域２１２ｂがプルタブ２０４ｂを効果的に隠蔽するためには、プルタブ２０４ｂが突出して表示部材２１０およびバックプレート２０６の背後から視認可能である領域内で、周縁領域２１２ｂが表示部材２１０およびバックプレート２０６を超えて延びていればよいことは理解されよう。
【００２３】
図３ａ〜３ｄは基体３１６に取り付けられた接着部３０４ａと非接着性プルタブ３０４ｂとを有する両面延伸剥離性接着テープ３０４と、接着テープ３０４に接着されたバックプレート３０６と、バックプレート３０６に隣接して配置された図形表示部材３１０と、バックプレート３０６に摺動可能に接続されるとともに図形表示部材３１０上に配置されたカバー３１２とを含む表示装置３０２を示す。
【００２４】
接着テープ３０４の接着部３０４ａはバックプレート３０６と基体３１６との間に配置されて、バックプレート３０６を基体３１６に取り外し可能に接着することにより、装置３０２を基体３１６に固定する役目を果たす。非接着性プルタブ３０４ｂはバックプレート３０６を超えて下方に延びているため、ユーザがそれを把持して接着テープ３０４をバックプレート３０６および基体３１６から延伸除去および剥離することができる。
【００２５】
図３ｂに示すように、バックプレート３０６はバックプレート３０６内に図形表示部材３１０を担持するようになっている凹部３１８を含んでいる。図形表示部材３１０は迅速且つ容易に交換可能であるため融通性を提供し、装置を個人占有のものとしたり、周囲の装飾とカラーコーディネートしたり、または例えば季節に合うようにカスタマイズできる１枚の紙等であり得る。このため図形表示部材３１０は印刷３１４と共に示されているが、多種多様な色、パターン、印刷、写真、図示、または他の標識を図形表示部材上に設け得ることは理解されよう。
【００２６】
カバー３１２は、バックプレート３０６および図形表示部材３１０に重畳するとともに図形表示部材３１０を視認可能にする透明な上部３１２ａと、プルタブ３０４ｂと張り出し関係で下方に延びることによりプルタブを隠蔽する不透明な下部３１２ｂとを含んでいる。
【００２７】
カバー３１２は側部および後部３１２ｃおよび３１２ｄ（図３ｄ）を含んでおり、これらはバックプレート３０６の周囲に部分的に延びることにより、カバープレート３１２がバックプレート３０６に対して横方向にまたは基体３１６から離れる方向に動かないようにする役目を果たす。カバー３１２は上部フランジ部３１２ｅ（図３ｃ）をさらに含み、これはバックプレート３０６の上部上に延びてバックプレート３０６の上部に載ることによりカバー３１２をバックプレート３０６上の正しい位置で垂直方向に固定する役目を果たす。カバーはカバーの透明な上部３１２ａの前面から外側に延びるフック状の機能部３１２ｆも含む。またクリップなどの他の機能部を設け得ることは理解されよう。
【００２８】
プルタブ３０４ｂに接近するまたは図形表示部材３１０を交換するには、カバー３１２をバックプレート３０６から完全に分離されるまで上方に摺動させることによって取り外す。カバー３１２が取り外されると、図形表示部材３１０には容易に接近され、ユーザがプルタブ３０４ｂを把持して引っ張ることによりバックプレート３０６を基体３１６から延伸除去することができる。
【００２９】
図４ａ〜４ｃは接着部４０４ａと非接着性プルタブ４０４ｂとを有する両面延伸剥離性接着テープ４０４と、接着テープ４０４に接着されたバックプレート４０６と、バックプレート４０６に隣接して配置された不透明な図形表示部材４１０と、バックプレート４０６に摺動可能に接続されるとともに不透明な図形表示部材４１０上に配置された透明なカバー４１２とを含む表示装置４０２を示す。
【００３０】
図４ｂに示すようにバックプレート４０６は切欠４０８を含んでおり、切欠４０８は接着テーププルタブ４０４ｂに位置合わせされているとともに、カバー４１２および図形表示部材４１０をバックプレート４０６から分離する時にプルタブ４０４ｂへの接近を提供し、これにより表示装置４０２を関連基体から延伸除去したい時にユーザがプルタブ４０４ｂを把持することができる。バックプレート４０６は先細または台形状を有し、これがカバー４１２の背面内の同様な形状のキャビティに内嵌することにより、カバー４１２をバックプレート４０６に確実に取り付ける。
【００３１】
またバックプレート４０６は、図形表示部材４１０を支持する棚をなす、バックプレート４０６の下端から外側に延びる一対の突起４０６ａを含んでいる。図形表示部材４１０が不透明であるため、図形表示部材４１０が突起４０６ａ上に配置されると、正面から見た時にプルタブ４０４ｂが隠蔽される。
【００３２】
図５ａ〜５ｂは接着部５０４ａと非接着性プルタブ５０４ｂとを有する両面延伸剥離性接着テープ５０４と、接着テープ５０４に接着されたバックプレート５０６と、バックプレート５０６に隣接して配置された図形表示部材５１０と、バックプレート５０６に接続されるとともに図形表示部材５１０上に配置されたカバー５１２とを含む表示装置５０２を示す。バックプレート５０６は図形表示部材５１０を収容するようになっている凹部５１８を含むとともに、カバーがバックプレート５０６に装着された時にカバー５１２を支持するフック部５１２ｆを含む。
【００３３】
カバー５１２は、バックプレート５０６および図形表示部材５１０と重畳するとともに図形表示部材５１０を視認可能にする透明な上部５１２ａと、プルタブ５０４ｂと張り出し関係で下方に延びることにより図３に示したものと同様にプルタブ５０４ｂを隠蔽する不透明な下部５１２ｂとを含んでいる。
【００３４】
図６ａ〜６ｃは典型的な絵画または写真フレームの外観を有する表示装置６０２を示しており、これは接着部６０４ａと非接着性プルタブ６０４ｂとを有する両面延伸剥離性接着テープ６０４と、接着テープ６０４に接着されたバックプレート６０６と、バックプレート６０６に隣接して配置された写真などの図形表示部材６１０と、透明な中心視認区域６１２ａと蝶番６２２を介してバックプレート６０６に枢着されるとともに図形表示部材６１０上に配置された不透明なフレーム６１２ｂとを含むカバー６１２とを含む。視認区域６１２ａは透明材料でもまたはフレーム６１２ｂ内の開口でもよい。
【００３５】
接着テープ６０４は、接着部６０４ａがバックプレート６０６に接着されるとともに非接着性プルタブ６０４ｂがバックプレート６０６を超えて延びてフレーム６１２ｂに隣接するように、バックプレート６０６に接着されている。このように表示装置６０２を組み立てて基体上に装着した時にカバー６１２はプルタブ６０４ｂを隠蔽する役目を果たすとともに、カバー６１２をバックプレート６０６から分離する時にプルタブ６０４ｂに容易に接近させることにより、ユーザはプルタブ６０４ｂを把持して装置を関連基体から延伸剥離することができる。
【００３６】
ベースプレート６０６を回転させて視認区域６１２ａに隣接して配置し且つフレーム６１２ｂ内に配置させるとともに、噛合スナップ接続部６２４ａおよび６２４ｂまたはフック・ループファスナなどの他の従来の手段でベースプレート６０６をその位置に固定することにより、ベースプレート６０６は閉成位置（図６ｂ）に保持される。装置を取り外すためには、スナップ接続部６２４ａおよび６２４ｂを分離してカバー６１２がベースプレート６０６から離れるように枢動させることによりプルタブ６０４ｂが露出され、そしてそれをユーザが把持して引っ張ることにより、前述のように装置を延伸除去することができる。
【００３７】
当業者には本発明の範囲と要旨とから逸脱することなく本発明の様々な変形例および代替例は明らかであろう。本発明は本明細書に記載した例示的実施形態に必要以上に限定されるものではなく、このような実施形態は以下のように本明細書に記載した請求の範囲によってのみ限定される本発明の範囲を有する例として提示するものであることは理解できよう。
【図面の簡単な説明】
【００３８】
【図１】本発明による延伸剥離性接着剤で装着可能な図形表示装置の分解図である。
【図２】本発明の第２の実施形態の分解図である。
【図３ａ】本発明の第３の実施形態の斜視図である。
【図３ｂ】図３ａのバックプレートの斜視図である。
【図３ｃ】図３ａの３ｃ−３ｃ線における断面図である。
【図３ｄ】図３ａの３ｄ−３ｄ線における断面図である。
【図４ａ】本発明の第４の実施形態の斜視図である。
【図４ｂ】カバープレートを取り外した状態の図４ａの装置の正面図である。
【図４ｃ】図４ａの４ｃ−４ｃ線における断面図である。
【図５ａ】本発明の第５の実施形態の斜視図である。
【図５ｂ】図５ａの５ｂ−５ｂ線における断面図である。
【図６ａ】本発明の第６の実施形態の正面図である。
【図６ｂ】図６ａの６ｂ−６ｂ線における断面図である。
【図６ｃ】開成状態の図６ｂの断面側面図である。
【図１】
2006512142.tif 000003
【図２】
2006512142.tif 000004
2006512142.tif 000005
2006512142.tif 000006
2006512142.tif 000007
2006512142.tif 000008
【手続補正書】
【提出日】平成16年12月15日(2004.12.15)
【手続補正１】
【補正対象書類名】特許請求の範囲
【補正対象項目名】全文
【補正方法】変更
【補正の内容】
【特許請求の範囲】
【請求項１】
表面に装着する物品であって、
（ａ）前面および背面主面を有するバックプレートと、
（ｂ）前記バックプレート背面に接着された接着部と、前記バックプレートを超えて突出する非接着性プルタブとを有する両面延伸剥離性接着片と、
（ｃ）前記バックプレート前面に隣接して配置された図形表示部材と、
（ｄ）前記図形表示部材に隣接して配置されているとともに、前記図形表示部材と、前記バックプレートと、前記非接着性プルタブと重畳して前記バックプレートに接続されており、前記図形表示部材を視認するための視認区域を含むカバープレートとを含み、
前記カバープレートが前記バックプレートから取り外し可能であるため前記非接着性プルタブに接近可能であり、これによりユーザが前記プルタブを手で把持して前記接着片を前記表面および前記バックプレートから延伸剥離できる物品。
【請求項２】
前記視認区域が前記カバープレートの透明領域である請求項１に記載の物品。
【請求項３】
前記視認区域が前記カバープレート内の開口である請求項１に記載の物品。
【請求項４】
前記図形表示部材が１枚の不透明な材料で形成されているとともに、前記非接着性プルタブと重畳関係で配置されていることにより、前記プルタブが前記図形表示部材により隠蔽される請求項１に記載の物品。
【請求項５】
前記バックプレートが切欠を含むとともに、前記非接着性プルタブが前記切欠に隣接して且つ位置合わせされて位置決めされることにより、前記プルタブが前記切欠内で視認可能であるとともに、前記カバープレートを前記バックプレートから取り外す時にユーザが接近して前記接着片を延伸剥離できる請求項４に記載の物品。
【請求項６】
前記カバープレートが透明である請求項５に記載の物品。
【請求項７】
前記カバープレートが不透明な領域を含み、前記視認区域が前記図形表示部材に隣接して配置されているとともに前記不透明な領域が前記プルタブと重畳関係で配置されていることにより、前記プルタブが前記カバープレート不透明領域により隠蔽される請求項１に記載の物品。
【請求項８】
前記視認区域が前記カバープレートの中心領域を含むとともに、前記不透明な領域が前記視認区域の周囲の周縁フレームを含み、前記不透明な領域の少なくとも一部分が前記プルタブと重畳関係で配置されていることにより前記プルタブを隠蔽する請求項７に記載の物品。
【請求項９】
前記バックプレートが前記図形表示部材を収容し且つ支持するための凹部を含む請求項１に記載の物品。
【請求項１０】
前記カバープレートが前記カバープレートから外側に延びる機能部材を含む請求項１に記載の物品。
【請求項１１】
前記ベースプレートが前記ベースプレート前面から外側に延びる機能部材を含むとともに、前記カバープレートが前記ベースプレート機能部材を収容するための開口を含むことにより、前記ベースプレート機能部材が前記カバープレートを支持する役目を果たす請求項１に記載の物品。
【請求項１２】
前記カバープレートが前記バックプレートに枢着している請求項１に記載の物品。
【国際調査報告】
2006512142.tif 000009
2006512142.tif 000010
2006512142.tif 000011